(57)【要約】      （修正有）【課題】故人の遺体の小片を直接拝むことで墓参の気持ちが満たされる立体造形記念物を提供する。【解決手段】遺体から採取した遺体小片１を入れた小片容器２と、ＩＣチップ６に遺体小片１に関するデータを記憶させるためのデータの入力及び出力を可能とする受信及び発信用のＩＣアンテナ７とを備えたＩＣデータシート５と、内部に小片容器２を収納可能な容器収納空間４を備えると共に表面に前記ＩＣデータシート５が張設可能な平面状のＩＣデータシート張付面９を備えた石膏製の立体造形物３と、容器収納空間４に設けた開口部４ａ及びＩＣデータシート張付面９を隠蔽可能とする耐火性及び耐熱性を備えた密閉蓋８とを備え、容器収納空間４に小片容器２を収納すると共にＩＣデータシート張付面９にＩＣデータシート５を配着し、立体造形物３の表面に容器収納空間４の開口部４ａ及びＩＣデータシート張付面９を隠すように密閉蓋８を被着する。【選択図】図１
2016163640.tif 000002
【特許請求の範囲】
【請求項１】
遺体から採取した遺体小片を入れた小片容器と、ＩＣチップに前記遺体小片に関するデータを記憶させるためのデータの入力及び出力を可能とする受信及び発信用のＩＣアンテナとを備えたＩＣデータシートと、内部に前記小片容器を収納可能な容器収納空間を備えると共に表面に前記ＩＣデータシートが張設可能な平面状のＩＣデータシート張付面を備えた石膏製の立体造形物と、前記容器収納空間に設けた開口部及び前記ＩＣデータシート張付面を隠蔽可能とする耐火性及び耐熱性を備えた密閉蓋とを備え、
前記容器収納空間に前記小片容器を収納すると共にＩＣデータシート張付面に前記ＩＣデータシートを配着し、前記立体造形物の表面に、該容器収納空間の開口部及びＩＣデータシート張付面を隠すように前記密閉蓋を被着したことを特徴とする立体造形記念物。
【請求項２】
立体造形物が、位牌、仏像、人物像、動物像、架空動物像、抽象形立体像等の立体的形状の造形物であることを特徴とする請求項１に記載の立体造形記念物。
【請求項３】
立体造形物が、流し込み型を壊さないと抜けない形状の引き抜き方向への移動を阻止する掛止部を有する立体的な形状の造形物であり、型から抜き取れるように半割りして該半割り面を含む周囲から掛止部に届く切込みを入れた柔軟な印象材の空洞内に半水石膏を流し込み、硬化した２水石膏を前記切込みを開くように前記印象材を変形させつつ引き出された立体造形物であることを特徴とする請求項１又は２に記載の立体造形記念物。
【請求項４】
立体造形物が、型に流し込み前の半水石膏に遺体の遺体小片を混合し、これを型に入れて硬化させた２水石膏から成ることを特徴とする請求項１から３のうちいずれかに記載の立体造形記念物。
【請求項５】
遺体小片をが、火葬した遺骨の小片及び／又はＤＮＡを抽出可能な遺骨、遺髪等の身体の一部の小片であることを特徴とする請求項１から４のうちいずれかに記載の立体造形記念物。
【請求項６】
ＩＣデータシートが、密閉蓋の表面から、データ入出力装置により文字及び画像データの書き込みと読み取りを可能とするものであることを特徴とする請求項１から５のうちいずれかに記載の立体造形記念物。
【請求項７】
ＩＣデータシートへ入力されるデータが、氏名、生年月日、死亡年月日、家族、家系図、遺影、写真、履歴等のいずれかを含むデータであることを特徴とする請求項１から６のうちいずれかに記載の立体造形記念物。
【請求項８】
立体造形物の表面に、ＩＣデータシートを収納可能な広さと深さを備えたＩＣデータシート収納凹部を形成し、該ＩＣデータシート収納凹部の底部にＩＣデータシート張付面を形成したことを特徴とする請求項１から７のうちいずれかに記載の立体造形記念物。
【請求項９】
容器収納空間の開口部に、耐火性及び耐熱性を有するキャップを被着したことを特徴とする請求項１から８のうちいずれかに記載の立体造形記念物。
【発明の詳細な説明】
【技術分野】
【０００１】
本発明は仏像や位牌等の立体的で複雑な形状をした造形物の中に遺体から採取した小片を納めた立体造形記念物に関する。
【背景技術】
【０００２】
近年、都市部では人口増加で墓地の供給が不足し、住居地に近い墓地の入手が極めて困難となっている。又、転勤等による勤務地の変更によって、住居地が家族・親族等の墓地から遠く離れてしまい、墓参が非常に困難となってしまうことがある。
墓地は数十年、数百年と、世代を超えて管理されるものであるが、建立された墓石は長い間に自然災害等で破壊されることがあり、又子孫が途絶えて墓地そのものが破棄されるものもある。
一方、家の中においては御霊を入れた位牌が死者の祭祀の中心となっているが、厚さ１ｃｍ、幅１０ｃｍ、高さ２０ｃｍ程度の大きさの木の板を立体的に複雑な彫刻を施して作られており、小さく軽いので住居移動の際などには持ち運び容易しやすいが、住宅火災で焼失してしまうこともある。又板面に戒名等の文字が記されているだけで親しみが湧き難くい面がある。
これに対して故人の遺骨を納めた墓地では、御影石などの石材を縦横４０ｃｍ、高さ１ｍ、重量２００ｋｇ程度に加工した墓石が建てられるが、非常に重く管理者が遠方に転居したからといってもそこまで移動させることは極めて困難である。
【０００３】
元来、遺骨は墓地に納めるものであるが、特許文献１には、石膏、セメント、粘土等で位牌仏像動物等の外装像形体を形成し、その像に設けた中空部に、骨粉を硬化剤等と混練したペーストを注入硬化させることが提案されている。該外装像形体は無機材なので火災等に遭遇しても消失せず、又小さく軽いので転居した場所に容易に持ち運べる利点がある。
又、下記特許文献２には、位牌に対して、故人の戒名、法名等の由来のデータを記憶したＩＣチップと毛髪等から取り出したＤＮＡ粉末とを位牌の中に固定することが提案されている。該位牌は、伝統的な木製の位牌をそのまま踏襲しているが、中のＩＣチップのデアータを読み取って戒名の由来等を知ることができ、且つその位牌及びそのデータが当人ものであることをＤＮＡ鑑定を行うことにより証明できるようにしている。
【先行技術文献】
【特許文献】
【０００４】
【特許文献１】特開平９−３０８６６１
【特許文献２】特開２０１１−２０６５１１
【発明の概要】
【発明が解決しようとする課題】
【０００５】
しかしながら、上記特許文献１の外装像形体は、仏像や位牌の中に納めた骨粉の故人に関しては氏名、戒名、享年など表面に書かれた文字から知るしかなく、生前の故人を知っている人が居なくなると、後で故人の履歴を知ることができなくなってしまう。
又、上記特許文献２では素材が木材なので、世代を重ねる長い間には火災等に遭遇して燃焼してしまう確率が高く、そのときＩＣチップに記憶させたデータやＤＮＡ粉末も同時に消滅してしまう可能性が大きい。そして、ＤＮＡ粉末は墓地に納める遺骨とは異なるものなので、それを固定した位牌を参拝しても墓参したい気持ちを満足させることはできない。
【０００６】
そこで本発明は、位牌の如く自宅に居ながら何時でも参拝でき、その際、遺体の一部を保管することで墓地の代わりとなって墓参したい気持ちを満たすことができ、又火災に遭遇しても燃えることなく長期間保管可能とし、且つ随時故人に関する情報を得ることが可能となる立体造形記念物を提供し、併せて、硬化した印象材の型の中から引き抜けない凹凸形状を有する木彫の位牌や仏像の如き複雑豪華に装飾された石膏製の立体造形物によって故人の尊厳を醸し出すことができる立体造形記念物を提供することを目的とする。
【課題を解決するための手段】
【０００７】
上記課題を解決するため、本発明の立体造形記念物は、遺体から採取した遺体小片を入れた小片容器と、ＩＣチップに前記遺体小片に関するデータを記憶させるためのデータの入力及び出力を可能とする受信及び発信用のＩＣアンテナとを備えたＩＣデータシートと、内部に前記小片容器を収納可能な容器収納空間を備えると共に表面に前記ＩＣデータシートが張設可能な平面状のＩＣデータシート張付面を備えた石膏製の立体造形物と、前記容器収納空間に設けた開口部及び前記ＩＣデータシート張付面を隠蔽可能とする耐火性及び耐熱性を備えた密閉蓋とを備え、前記容器収納空間に前記小片容器を収納すると共にＩＣデータシート張付面に前記ＩＣデータシートを配着し、前記立体造形物の表面に該容器収納空間の開口部及びＩＣデータシート張付面を隠すように前記密閉蓋を被着したことを特徴とする。
【０００８】
請求項２に記載の発明は、上記発明において、前記立体造形物が、位牌、仏像、人物像、動物像、架空動物像、抽象形立体像等の立体的形状の造形物であることを特徴とする。
【０００９】
請求項３に記載の発明は、上記発明において、前記立体造形物が、流し込み型を壊さないと抜けない形状の引き抜き方向への移動を阻止する掛止部を有する立体的な形状の造形物であり、型から抜き取れるように半割りして該半割り面を含む周囲から掛止部に届く切込みを入れた柔軟な印象材の空洞内に半水石膏を流し込み、硬化した２水石膏を前記切込みを開くように前記印象材を変形させつつ引き出された一体の立体造形物であることを特徴とする。
【００１０】
請求項４に記載の発明は、上記発明において、前記立体造形物が、型に流し込み前の半水石膏に遺体の遺体小片を混合し、これを型に入れて硬化させた２水石膏から成ることを特徴とする。
【００１１】
請求項５に記載の発明は、上記発明において、前記遺体小片をが、火葬した遺骨の小片及び／又はＤＮＡを抽出可能な遺骨、遺髪等の身体の一部の小片であることを特徴とする。
【００１２】
請求項６に記載の発明は、上記発明において、前記ＩＣデータシートが、密閉蓋の表面から、データ入出力装置により文字及び画像データの書き込みと読み取りを可能とするものであることを特徴とする。
【００１３】
請求項７に記載の発明は、上記発明において、前記ＩＣデータシートへ入力されるデータが、氏名、生年月日、死亡年月日、家族、家系図、遺影、写真、履歴等のいずれかを含むデータであることを特徴とする。
【００１４】
請求項８に記載の発明は、上記発明において、前記立体造形物の表面に、ＩＣデータシートを収納可能な広さと深さを備えたＩＣデータシート収納凹部を形成し、該ＩＣデータシート収納凹部の底部にＩＣデータシート張付面を形成したことを特徴とする。
【００１５】
請求項９に記載の発明は、上記発明において、前記容器収納空間の開口部に、耐火性及び耐熱性を有するキャップを被着したことを特徴とする。
【発明の効果】
【００１６】
本発明の立体造形物を形成する石膏は、粉の状態では分子中に硫酸カルシウムの分子と１/２の水分子とから成り（半水石膏と呼ばれる）、これに水を加えて硬化させると硫酸カルシウムの分子との２つの水分子を含む（二水石膏と呼ばれる）分子構造となる。
分子に含まれる水によって、１００°Ｃ以上の高温で水が蒸発し、水がなくなるまでは温度が上昇しない。又、石膏は無機物なので全く燃焼することがない。
このような石膏の持つ耐火性及び耐熱性によって、本発明は火災に遭遇しても消失することがなくなる。
【００１７】
又、このような石膏の立体造形物の内部に形成された容器収納空間に収納された遺体小片を入れた小片容器は、耐火性及び耐熱性を備えた密閉蓋で開口部が覆われることで火災から保護され、仮に自然災害や墓地契約解除されて遺骨を納めた墓地が喪失したとしても、その遺体小片は自宅で数世代にわたり長期間保護可能となる。
又、後世の人が、ＩＣチップ中の個人のデータを見て先祖の人柄などの在りし日の面影を偲ぶことが可能となる。
そして、その内部に故人そのものの存在そのものの証拠である遺体小片を納めることで墓地に納めた遺骨と同様に、それに向かい合うと、遺族が墓参したときと同様に故人を身近に感じ、墓地の代わりとなって墓参したい気持ちを満たし、位牌の如く自宅に居ながら何時でも参拝することができる。
【００１８】
請求項２に記載の発明は、前記立体造形物は位牌、仏像、人物像、動物像、架空動物像、抽象形立体像等の各種の立体的な形状の造形物とすることが可能である。
参拝対象である前記立体造形物は、信仰する仏教では宗教的物品が位牌や仏像であるが、他の宗教では独自の宗教的物品が参拝の対象となる。例えばキリスト教ではキリスト像や十字架であり、アニミズムでは動物等である。
本発明の立体造形物は、特定の宗教に限定して用いるのではなく、どの宗教にも対応可能である。
【００１９】
請求項３に記載の発明は、前記立体造形物が、流し込み型を壊さないと硬化した２水石膏が抜き取れない形状の掛止部を有する複雑で豪華な木彫の位牌や仏像の如き立体造形物を得ることが可能である。
通常、型から抜き取れない形状の立体造形物は同じ型から同じ形状のものを複数製作するここができない。
しかし本発明では、型から抜け出せるように立体造形物を模った柔軟な印象型内の複雑な形状の掛止部の周囲に切込みを入れることで、硬化した２水石膏の造形物を前記切込みを開くことで型出し可能とするものである。
そしてその結果、型に石膏を流し込んで同じ形状の豪華な位牌や仏像等の一体の立体造形物を多数複製することが可能となる。
しかも、硬化した印象材の中から引き抜けない凹凸形状を有する立体造形物は、その形状を豪華な装飾図柄に形成することができ、その複雑豪華に装飾されることで、荘厳さの中に故人の尊厳を醸し出し、その内部に故人その存在そのものの証拠である遺骨等の遺体小片を納めることで墓地に納めた遺骨と同様に、それに向かい合うと、遺族が墓参したときと同様に故人を身近に感じ、墓地の代わりとなって墓参したい気持ちを満たし、位牌の如く自宅に居ながら何時でも参拝することが可能となる。
【００２０】
請求項４に記載の発明は、型に流し込み前の半水石膏に前記遺体小片が混合されることで、型に入れて硬化した２水石膏である立体造形物の素材中に前記遺体小片が固定される。
このため、前記容器収納空間に納めた前記遺体小片が後日取り出されて失われたとしても、必ず石膏の素材中に混合された遺体小片は失われることがない。
【００２１】
請求項５に記載の発明は、前記遺体小片が、ＤＮＡを抽出可能な遺骨、遺髪等の身体の一部の小片である場合には、後世の人がＤＮＡを分析して家系を遡り子孫の遺伝子起因の病気など生物学的な特徴等を知ることができるようになる。
【００２２】
請求項６に記載の発明は、ＩＣデータの入出力装置を用いることで、前記密閉蓋の表面から、ＩＣデータシートに対して文字及び画像データの書き込みと読み取りが可能となる。このため、前記データの書き込みと読み取りに際して、立体造形物の表面に被着した密閉蓋８を立体造形物の表面から外す必要がなくなる。
この結果、前記密閉蓋を開けることによるＩＣデータシートの紛失やＩＣデータシートの入れ替わりも危険性を防ぐことが可能となる。
【００２３】
請求項７に記載の発明は、前記ＩＣデータシートへ入力されるデータには、前記遺体小片に関した氏名、生年月日、死亡年月日、家族、家系図、遺影、写真、履歴等のいずれかが含まれるので、そのデータを読み出すＩＣデータの入出力装置を使用して、故人の子孫等の後世の人が故人に関することを詳しく知ることが可能となる。
【００２４】
請求項８に記載の発明は、立体造形物３の表面に設けたＩＣデータシート収納凹部内に、電子部品を含むＩＣデータシートが収納されるので、その表面から耐火性及び耐熱性を備えた平面的な板状の密閉蓋を貼ったとき、前記立体造形物の表面と密閉蓋の裏面とがシートの厚みに邪魔されないで密着させることができ、シートの厚さ分の隙間の発生を防止することが可能となる。
この結果、炎や熱の侵入によるＩＣチップに記憶させたデータの損傷を確実に防止することが可能となる。
【００２５】
請求項９に記載の発明は、キャップで前記容器収納空間から外に開いた開口部に耐火性、耐熱性を有する密閉蓋を被着することで、該容器収納空間の周囲の耐火性、耐熱性を有する石膏と共に小片容器の全周囲が耐火性、耐熱性を有する素材で囲われることとなる。この結果、キャップの外側の耐火性、耐熱性を有する密閉蓋と共に容器収納空間中の遺体小片を入れた小片容器を火災の火から確実に守ることが可能となる。
【図面の簡単な説明】
【００２６】
【図１】本発明の立体造形物内に遺体小片を入れた小片容器を納める前の状態を示す斜視図である。
【図２】別の形態の立体造形物内に遺体小片を入れた小片容器を納める前の状態を示す斜視図である。
【図３】ＩＣデータの入出力装置によるＩＣデータシートへのデータの入出力のシステムを示す模式図。
【図４】（イ）が型枠に印象材を流し入れた状態を示し、（ロ）が流動性のある印象材中に立体造形物の原形を入れた状態を示す各縦断側面図である。
【図５】（ハ）が切り込みを入れた印象材から立体造形物の原形を取り出そうとしている状態を示し、（二）が印象材から切り込みを開いて立体造形物の原形を完全に取り出した後の状態を示す各縦断側面図である。
【図６】（ホ）が印象材の型内の空間へ石膏を流し込んでいる状態を示し、（へ）が石膏を流し込みが終わった状態を示し、（ト）支持型枠から硬化した２水石膏がある印象材を取り出した状態を示す各縦断側面図である。
【図７】（チ）が印象材の切り込みを開いて中の立体造形物を取り出そうとしている状態を示し、（リ）が立体造形物を印象材から出し終えた状態を示す各縦断側面図であり、（ヌ）が立体造形物裏側の注入突出部を除去した状態を示す斜視図である。
【発明を実施するための形態】
【００２７】
本発明の立体造形記念物を、図を参照して以下説明する。
本発明の立体造形記念物は、図１に示すように、位牌等の立体的な造形物を模った立体造形物３と、遺体から採取した遺体小片１を入れた小片容器２と、データを記憶するＩＣチップを備えたＩＣデータシート５と、立体造形物３の表面に貼り付ける密閉蓋８の各部材から成るが、これらの各部材についてそれぞれを次に説明する。
【００２８】
先ず前記立体造形物３について説明する。
造形物本体は石膏を材料として製作した位牌状の立体造形物３である。
該立体造形物３を流し込み型から製作する場合には、通常では位牌台部に流し込み型を壊さないと抜けない複雑な凹凸形状の掛止部２４を有するので多数複製することができない。
しかし本発明では、造形物の原形から得た印象型にその型から抜け出せるように入れた切込みを開くことで、型の中で硬化した引き抜き方向への移動を阻止する掛止部２４を有する位牌状の石膏製の一体の立体造形物３を、印象型を破壊せずに外へ引き出すことが可能となる。その製作方法については本発明の各部を説明した後で述べることとする。
【００２９】
該立体造形物３には、表面の開口部４ａを備え、該開口部４ａから内部へ遺体小片１を納めた小片容器２を収納可能とする容器収納空間４を形成する。
該容器収納空間４は前記立体造形物３の表面付近に設けるのではなく、本体内部の深い場所に形成すると良い。
図１の位牌状の立体造形物３は小片容器２を縦に納めるため、中央部の板面を貫通させて縦長に形成した容器収納空間４の態様であり、図２の位牌状の立体造形物３は厚みのある台部の前側から横向きに長い穴を形成した容器収納空間４の態様である。
又該図２の立体造形物３における容器収納空間４の開口部４ａには耐火性、耐熱性を有するキャップ１１で外に開いた開口部４ａを閉鎖することができる。この形態では、その外側に耐火性、耐熱性を有する密閉蓋８を被着することで、該容器収納空間４の周囲の耐火性、耐熱性を有する石膏と共に小片容器２の全周囲が耐火性、耐熱性を有する素材で囲われ、容器収納空間４中の遺体小片１を入れた小片容器２を火災から確実に守ることが可能となる。
【００３０】
又、該立体造形物３の表面には、前記ＩＣデータシート５が張設可能な平面状のＩＣデータシート張付面９を設ける。
図１の位牌状の立体造形物３では容器収納空間４を避けて、その上の平面状の板面に設けたＩＣデータシート張付面９の態様を示し、図２の位牌状の立体造形物３では台部に設けた容器収納空間４の前側の平面状の表面の形成したＩＣデータシート張付面９の態様を示している。
【００３１】
又、図１及び図２に示すように、立体造形物３には、前記ＩＣデータシート５を収納可能な広さと深さを備えたＩＣデータシート収納凹部１０を形成し、該ＩＣデータシート収納凹部１０の底部にＩＣデータシート張付面９を形成することができる。
この形態では、前記ＩＣデータシート収納凹部１０に電子部品を含むＩＣデータシート５が収納されるので、上から耐火性及び耐熱性を備えた平面的な板状の密閉蓋８を被着させたときに、前記立体造形物３の表面と密閉蓋８の裏面とがシートの厚みに邪魔されないで密着させることができるので前記立体造形物３の表面と密閉蓋８の裏面との間に隙間が発生しない。
この結果、炎や熱の侵入によるＩＣチップ６に記憶させたデータの損傷を確実に防止することが可能となる。
【００３２】
前記図１及び図２に示す立体造形物３はいずれも位牌状の立体造形物３であり、その表面の一部に硬化した石膏が型から抜け出せない掛止部２４を有している。
即ち、前記掛止部２４は図１の立体造形物３では台部及び容器収納空間４部分にあり、図２の立体造形物３では台部、上部及び容器収納空間４部分が該当する。
前記立体造形物３は、位牌、仏像、人物像、動物像、架空動物像、抽象形立体像等の立体的形状の造形物を多様な形状とすることが可能である。そして、そのデザインを豪華で荘厳にするほど形状が複雑化し掛止部２４が増加することとなる。
又前記立体造形物３は、参拝の対象となる宗教の信仰と関係あるものとし、仏教では位牌や仏像、寺院の造形物であり、キリスト教ではキリスト像や十字架等であり、アニミズムでは動物等である。又無宗教では幾何学模様など抽象形立体像等の立体造形物３を選んでも良い。
即ち本発明は特定の宗教に限定して用いるのではない。
【００３３】
又、前記立体造形物３は、型に流し込み前の半水石膏に遺体の遺体小片を混合し、これを型に入れて硬化させた２水石膏によって製作することが可能である。
この形態では、型に流し込み前の半水石膏に前記遺体小片が混合されることで、型に入れて硬化した２水石膏の中に前記遺体小片が固定される。
このため、前記容器収納空間４に納めた前記遺体小片が後日取り出されて失われたとしても、石膏の素材中に混合された方の遺体小片は必ず残すことができる。
【００３４】
次に遺体から採取した遺体小片１について説明する。
死亡すると遺体は１０００°Ｃ以上の高温下において火葬され、カルシウムを主とした遺骨が燃えないで残される。通常この遺骨は墓地に納められるが、本発明では  例えば、図１に示すように、遺骨の一部を砕いた遺体小片１を少量採取して小片容器２に納める。
また、後にＤＮＡを抽出するために、身体から採取した一部を砕いた遺体小片１を使用することができる。この場合、高温で火葬された後に残される遺骨からはＤＮＡを抽出することは極めて難しいので、火葬に付す前の身体から小片を採取する。その部分は例えば、毛、爪等である。
なお、前記遺体小片１を採取するための対象となる遺体は、人間に限らず人間の如く家族に可愛がられる愛玩動物の遺体も含む。
これらの遺体小片１を入れる小片容器２は立体造形物３の容器収納空間４の中に納まるサイズのカプセル状の蓋付き容器を使用する。その材質は、ＰＰ樹脂製やアクリル樹脂製でも良いが、金属、陶磁器やガラス等無機物の方が燃えずに耐火性、耐熱性を有するので好ましい。
【００３５】
又、ＩＣチップ６と該ＩＣチップ６へのデータの入力及び出力を可能とする受信及び発信用のＩＣアンテナ７とを備えたＩＣデータシート５を使用し、該ＩＣチップ６には前記遺体小片１を採取した故人に関したデータ、即ち氏名、生年月日、死亡年月日、家族、家系図、遺影、写真、履歴等のいずれかが含まれるデータを読み出すＩＣデータの入出力装置を使用して記憶させる。
この書き込まれたデータにより故人の子孫等の後世の人が読み出してその内容を知ることが可能となる。
【００３６】
前記ＩＣデータシート５は既存のＩＣデータシート５が使用できる。
その１例として、縦横の幅は前記ＩＣデータシート張付面９に納まるサイズの薄いシート状の無線ＩＣタグと呼ばれるものが使用可能である。該無線ＩＣタグは、表裏の薄いシートに接着剤を塗って、ＩＣチップ６と、該ＩＣチップに繋がってシート面に広がった細い線のＩＣアンテナ７とが表裏のシートの間に挟まれて貼り合わされて形成されたものを使用できる。そして、前記ＩＣアンテナ７には、図１に示すように、電磁誘導コイルが形成され、受信及び発信が可能となる。
なお、前記ＩＣデータシート張付面９が平面である場合には薄い板状のカードを用いることもできる。
【００３７】
そして、前記ＩＣチップ６にデータを記憶させるには、図３に示すように、ＩＣデータの入出力装置１２を用いる。
該ＩＣデータの入出力装置１２は前記密閉蓋８の外側から、内部のＩＣデータシート５に向けて操作し、文字及び画像データの書き込みと読み取りが可能となる。
このため、前記データの書き込みと読み取りに際して、立体造形物３の表面に被着した密閉蓋８を立体造形物３の表面から外す必要がなくなり、この結果、前記密閉蓋８を開けることによるＩＣデータシート５の紛失やＩＣデータシート５の入れ替わりを防ぐことが可能となる。
【００３８】
前記ＩＣデータの入出力装置１２は、例えば、図３に示すように、無線式のハンディタイプのものを用い、該ＩＣデータの入出力装置１２で読み取ったデータを無線でサーバー１３に送信し、そのデータはパソコンのモニター１４画面に文字や写真として映し出されるようにする。
データ入力に際しては、文字の入力はパソコンのキーボード１５で行い、画像に入力は操作マウス１６で行うここが可能であり、又、パソコンに替えて液晶表示部のある携帯電話やタブレット端末なども使用可能である。
【００３９】
前記ＩＣデータシート５へ入力されるデータは、記憶容量の大きいものでは、前記遺体小片１に関連した氏名、生年月日、死亡年月日、家族、家系図、遺影、写真、履歴等の全てを記憶させることが可能である。又記憶容量の小さいものでは、少なくとも氏名、生年月日、死亡年月日、血液型等の故人の最も本的な情報を選んで記憶させることができる。
そして、そのデータを読み出すＩＣデータの入出力装置１２を使用して、故人の子孫等の後世の人が故人に関するそれらの情報を詳しく知ることが可能となる。
【００４０】
次に前記密閉蓋８について説明する。
前記密閉蓋８は、耐火性及び耐熱性を備えた板状の蓋であり、前記容器収納空間４の開口部及びＩＣデータシート張付面９を全て覆うことができるサイズとする。
例えば、セラミック、耐熱ガラス等の耐火性及び耐熱性を備えた板が使用できる。
そして、該立体造形物３の表面へは耐火性及び耐熱性を有する接着剤を使用し強固に固着する。
なお、図１の位牌状の立体造形物３では、容器収納空間４が表面から裏面へと貫通しているので、表側のＩＣデータシート張付面９を含めて表側及び裏側の容器収納空間４の開口部を覆う表裏の密閉蓋８ａ、８ｂを貼り着ける。
又、図２の位牌状の立体造形物３では台部の容器収納空間４の開口部４ａに耐火性、耐熱性を有するキャップ１１を嵌めるが、その外側の前記ＩＣデータシート収納凹部１０の底部のＩＣデータシート張付面９にＩＣデータシート５を配着し、更にその外側に密閉蓋８を貼り着ける。
【００４１】
又、一つの立体造形記念物に夫婦、親子など複数の故人の遺体から採取した遺体小片１をそれぞれの小片容器２に分けて納めることもできる。
この態様の場合、前記立体造形物３に全ての小片容器２が収納可能な大きさの一つの容器収納空間４を設けて各小片容器２を一緒に納めるか、又はその数の小片容器２毎の容器収納空間４を分けて設けて別々に納める。
そして、夫々の個人のデータを一つのＩＣチップ６に共同で記憶させるか、又は別々にＩＣデータシート５を使用して、夫々の個人のデータを各ＩＣチップ６に記憶させ、前記立体造形物３の表面にその数のＩＣデータシート張付面９を分けて設けて夫々別々に貼る。
そして、立体造形物３の表面に、全ての容器収納空間４の開口部と全てのＩＣデータシート５を隠蔽可能な密閉蓋８を固着する。
【００４２】
以上で本発明の立体造形記念物を構成する各部材の説明をしたが、次に、上記各部材を用いて組み立てる方法を説明する。
その組み立て方法は、図１に示すように前記立体造形物３の開口部４ａから前記容器収納空間４内に遺体から採取した遺体小片１を入れた小片容器２を収納し、又前記ＩＣデータシート張付面９に前記ＩＣデータシート５を貼り付ける。
そして、該容器収納空間４の開口部４ａ及び前記ＩＣデータシート張付面９を塞ぐように前記密閉蓋８を接着剤で固着する。
その際、図２に示すように、密閉蓋８を固定する前に前記容器収納空間４の開口部４ａには耐火性及び耐熱性を有するキャップ１１を被着することができる。
【００４３】
そして、図３に示すように、前記ＩＣデータシート５に対して前記密閉蓋８の表面から、データ入出力装置１２を用いて文字及び画像データの書き込みをする。
前記ＩＣデータシート５へ入力されるデータは、氏名、生年月日、死亡年月日、家族、家系図、写真、履歴等のいずれかを含む故人のデータである。
以上で本発明の立体造形記念物が完成する。
【００４４】
次に、本発明の立体造形記念物の立体造形物３の一例を説明する。
該立体造形物３はパーツに分けた部分を接着剤で結合して１体とした立体的な造形物ではなく、最初から完全に一体とした立体造形物３を対象とし、該立体造形物３は、図１及び図２に示すように、硬化した印象材の中から引っ張っても該印象材に引っ掛かって引き抜けない状態となる掛止部２４を有する複雑な凹凸形状を成すものが使用に適する。
その一例として、図１に示す位牌型の立体造形物３を作る場合を例に説明する。
【００４５】
上記立体造形物３を作ろうとしても、従来の技術では凹凸が印象材の中に引っ掛かって型から抜けないので流込み型は繰り返して使用することはできない。
その理由は、正常に型から抜き出すためには、型を一度限りで壊さなければ成らないからである。
これに対して、本発明では、硬化して弾性を発揮する可塑性の印象材で作った流込み型を何度も繰り返して使用でき、同じ流込み型から同一形状の多数の立体造形物３を複製することを可能とするものであり、この方法を以下詳述する。
【００４６】
その製造工程では、原形埋没工程、原型脱型工程、流し込み工程及び抜き出し工程の各工程を順に作業を行って１回目の立体造形物３が得られる。
これを複数製造する場合には、前記立体造形物３の２回目以降の複製を前記流し込み工程及び前記抜き出し工程を繰り返す。
【００４７】
そこで先ず、前記原形埋没工程から説明する。
該原形埋没工程では、図４の（イ）に示すように、硬化して弾性を発現する可塑性の印象材２２ａを用いる。
該印象材２２ａは、例えば硬化剤を混合してペースト化した後、数十分から数時間して硬化するシリコ−ンゴム系の印象材２２ａが使用可能である。
該シリコ−ンゴム系の印象材２２ａは、通常流動性を有するペースト状の材料中に硬化剤を１〜４％から配合して使用されるが、硬化剤の配合量の多寡で硬化時間を選ぶことができる。例えば４％の混合では２０分程度で硬化させることができる材料がある。そして、硬化したシリコ−ンゴムは弾性を発揮し、押圧したり、引っ張ったりすると天然ゴムのように柔らかく伸縮変形し、且つ元の形状に復元する。
【００４８】
この工程では、図４の（イ）に示すように、下窄まりテーパー状の型枠２１に上記の如き硬化剤を混合したコップ３６の中のペースト状の印象材２２ａを入れ、同時に該印象材２２ａ中に、図４の（ロ）に示すように、装飾の凹凸の多い台部のような掛止部２４を有する位牌を模した立体造形物の原形２３を埋没させる。
前記下窄まりテーパー状の型枠２１は、４角形の少なくとも一面が下窄まりテーパー状の型枠２１が使用できるが、円筒容器状で下窄まりテーパー状の型枠２１の使用を例に以下説明する。
【００４９】
前記立体造形物の原形２３には、上に向けた背側に吊り棒３２を接着剤で取り付ける。
次に、図４の（ロ）に示すように、前記型枠２１の開口縁上部に支持棒３３を交差させて架け渡し、該支持棒３３に立体造形物の原形２３の吊り棒３２を引っ掛け、全体を該印象材２２ａ中に埋没させ、該型枠２１に立体造形物の原形２３が接触しないようにするように吊り下げる。
そしてそのまま印象材２２ａの硬化時間が経過するまで静置する。
なお、該印象材２２ａの硬化後に中から抜き取り易いように立体造形物の原形２３の表面には万遍なくワセリンを塗っておくと良い。
又、前記吊り棒３２の素材は金属、木材、プラスチック等の棒材が使用でき、割り箸を使用することもできる。
【００５０】
次の原形脱型工程では、図５の（ハ）に示すように、前記型枠２１から固まった前記印象材を取り出す。
該型枠２１は上開きテーパー状なので、該型枠２１を逆さにすれば硬化した印象材２２ｂを前記型枠２１から容易に抜き取ることができる。
前記印象材２２ｂを前記型枠２１から抜き易くするには、予めはく離剤を型枠２１の内面に塗布すると良い。
【００５１】
前記型枠２１から取り出した印象材２２ｂは硬化して弾性を発揮する柔軟な印象材であり、指等で力を加えて変形させても直ぐに元に状態に復元される。
次に、固まった印象材２２ｂを半割りする。
この印象材２２ｂを半割りするための切断部位は、例えば略左右対称な形状である位牌の立体造形物の原形２３は、図５の（ハ）に示すように、背側の前記吊り棒３２のある部分から前側を通り、台部に当たり更に背側の前記吊り棒３２のある部分まで前記立体造形物の原形２３の全体を一周させ、その切り口が平面的になるように切る。
切り方は、先ず鋭利な薄い刃のカッターナイフ等を使用してゴム状に固まった印象材２２ｂの囲を一旦一周させて数ｃｍの一定の深さで切る。この段階では中の立体造形物の原形２３に刃先が到達していない。
次に一旦切った切り込みにナイフを差し込み、更に中の立体造形物の原形２３に刃先が当たるようにして全周を前記掛止部２４に届くように深く切り込む。そして、前記吊り棒３２の周囲を一定に範囲で切り取り、石膏を流し込みための石膏注入口３４を形成する。
【００５２】
このようにナイフで半割りすることによって、印象材２２ｂが両側に分断されるが、この段階では中の立体造形物の原形２３は硬化した印象材２２ｂの中から引っ張り出そうとしても前記掛止部２４が該印象材２２ｂの材内に引っ掛かって引き抜けない状態となっている。このため、このままでは分断した印象材２２ｂを両側に切り離せない。
そこで、先ず前記掛止部２４が少なく取り出し易い半割り側を優先して立体造形物の原形２３から印象材２２ｂを半割り面２５ａ側から分離させる。
【００５３】
そして、図５の（ハ）に示すように、前記半割りの一方側を蜜柑の皮をはぐように印象材２２ｂを変形させつつ半割り面２５ａ側から分離するが、この際、前記掛止部２４が含まれていて抜き取ることができないので、前記掛止部２４の引き抜き方向への移動を阻止する印象材２２ｂの引っ掛かり部分に対して該印象材２２ｂの周囲から前記掛止部２４に届く切り込み２６を入れる。
この切り込み２６は、前記立体造形物の原形２３の形状から予め前記掛止部２４の位置を確認し、切り込む箇所を予定しておき、その予定箇所に外からナイフで前記掛止部２４に当たるように１本又は複数本の切り込み２６を入れる。
この切り込み２６を入れた後、該切り込み２６部分を開いて前記印象材２２ｂを変形させつつ前記立体造形物の原形２３から印象材２２ｂを分離させる。
なお、一方側の印象材２２ｂ中に掛止部２４がない場合には、切り込みを入れずに中の立体造形物の原形２３は印象材２２ｂの半割り面２５ａ側から簡単に取り出すことができる。
【００５４】
次に、残りの半割りした印象材２２ｂの中から立体造形物の原形２３を半割り面２５ａ側から分離する。
例えば、突出した掛止部２４が印象材２２ｂの中に埋没している状態では中の立体造形物の原形２３をそのまま抜き取ることができない。
そこで、図５の（ハ）に示すように、立体造形物の原形２３の突出した掛止部２４の表面の一部へ該印象材２２ｂの周囲から掛止部２４に届く複数の切り込み６を入れる。
そして、該切り込み２６を開くように前記印象材２２ｂを変形させつつ該印象材２２ｂ中の立体造形物の原形２３を引き出し、立体造形物の外周形状の空洞２７を有する流込み型２５を得る。
【００５５】
前記切り込み２６は前記掛止部２４の態様によって必要とする部分がほぼ決まってくる。
このため、前記掛止部２４の形状の態様と、それに対する切り込み２６について説明する。
具体的には、図５に示す台部の場合のように、多様な凹凸形状の掛止部２４があり、その部分に応じて、図５の（二）に示すように、夫々に前記掛止部２４も届く切り込み２６を入れることとなる。
【００５６】
本発明の掛止部２４とは、立体造形物２３の表面に形成され、硬化した印象材２２ｂの中から立体造形物２３を引き抜きこうとしても印象材２２ｂそのものの中に引っ掛かって、半割り面２５ａ側から立体造形物２３を抜くことができなくなる部分である。
例えば、前記掛止部２４は、型材の中で引き抜き方向に対して横向きに伸びて鈎形に屈曲し、その部分が引っ掛かって抜けない鈎状部の態様と、突起先端側の径が大きく、基部側の径が小さい膨出部の態様と、突出部がループ状に繋がった輪状や内部を貫通した孔状等の各種態様があり、いずれも引き抜こうとすると、印象材２２ｂの中に引っ掛かって半割り面２５ａ側からでも抜くことができない部分である。
【００５７】
即ち、切り込みは、立体造形物２３を印象材２２ｂから引き抜こうとする際に前記掛止部２４に対して抵抗となる面と前記半割り面２５ａとの間に引き抜き方向に切り込まれた逃げ道を言う。
【００５８】
図５の（二）に示す掛止部２４は、小片容器２を納める容器収納空間４である掛止部２４を有するが、この場合では、前から後ろへ貫通した孔部分も、立体造形物２３を引き抜こうとすると、そのままでは印象材２２ｂに引っ掛かって抜くことができない部分である。
このため、前記印象材２２ｂの貫通孔の上側を切り、この切り込み２６で前記印象材２２ｂが捲れるようになる。
さらにこの切り込み２６の他にも適宜前記掛止部２４を取り出せるように印象材２２ｂを切り込む。
なお、極薄く印象材からはく離しやすい樹脂シートを、石膏を流し込む際に貫通孔の一方側を塞ぐように被せておけば、硬化後にその外をはがすことでその部分の印象材が分離されるので結果的に立体造形物２３の逃げ道となる切り込みが作られる。
【００５９】
特に半割り面２５ａから離れた深い位置にある掛止部２４は印象材２２ｂの立体造形物２３の裏側に隠れた状態となるので切り込み２６を捲り上げながら、印象材２２ｂの半割り面２５ａ側から切り込みを行う場合と、印象材２２ｂの外周側から行う場合とがある。
これらの切り込み２６は印象材２２ｂ中の立体造形物２３の掛止部２４の形状から、どの部分から、どの方向へ、どのような長さで何箇所入れるかを予め計画を立てて行うと良い。
その際に、切断されて印象材２２ｂの一部が分離し脱落してしまうことのないように注意する。
【００６０】
前記印象材２２ｂから前記立体造形物の原形２３を引き出す際には、大きい部分は指３５で前記切り込み２６を開くように印象材２２ｂを変形させつつ前記掛止部２４を前記印象材２２ｂの中から露出させて引き出す。
この際、前記掛止部２４を壊すことのないように丁寧に引き出し、前記掛止部２４に対して切り込み２６の長さ不足があって引き出せなかった場合には、さらに長い切り込み２６を入れて印象材２２ｂ中から立体造形物の原形２３の全体を確実に分離させる。
又、小さい掛止部２４の部分は引く抜く際に該掛止部２４から加わる力で材料自体の弾性で印象材２２ｂが変形を起こし、指３５を使用せずに引き抜くことができる場合もある。
そして、印象材２２ｂ中から立体造形物３が完全に分離されると、図５の（ニ）に示すように、内部に立体造形物の原形２３の外周形状の空洞２７を有する流込み型２５が得られる。
なお、空洞２７の表面に使用したワセリンが付着していたら拭き取っておく。
この工程で得られた流込み型２５は、図５の（ニ）に示すように、凹凸の各部分、即ち、掛止部２４に届く切り込み２６が入れられた状態となる。
【００６１】
なお、流込み型２５の上部には空洞２７内へ半水石膏に水を加えたペースト状の流動石膏２８を注入するための石膏注入口３４を開口させる。
このように掛止部２４の態様に応じた切り込み２６を入れることで、印象材２２ｂを自由に変形させ、次の工程において空洞２７内に充填され固まった２水石膏の立体造形物２３が抜き取れるようになる。
【００６２】
次の流し込み工程では、図６の（ホ）に示すように、前記流込み型２５の半割り面２５ａを割る前の状態に密着させ、下窄まりのテーパー状の支持型枠３１に入れる。
該支持型枠３１は前記原形埋没工程で印象材２２ａを流し込むときに使用した下窄まりのテーパー状の型枠２１を使用することができるか、同一サイズの下窄まりのテーパー状とした別の支持型枠３１を使用しても良い。
例えば、該支持型枠３１は、硬化して半割した印象材２２ｂからできた流込み型２５の両側の半割り面２５ａを密接状態に重ね合わせて流込み型２５を支持し、該流込み型２５を均一な締め付け状態で保持可能とする専用器具を用いることができる。
このように流込み型２５を外から正確に固定するのは、切り込み両面を重なるように密着させる際に両面がずれると立体造形物の表面に筋が入ったり変形したりするので、これを防止し、美しい立体造形物を得るためである。
【００６３】
そして、図６の（ホ）に示すように、前記立体造形物の原形２３が抜き取られた空洞２７内に、石膏注入口３４から水に混合してペースト状に練った流動石膏２８を流し込み、図５の（へ）に示すように、そのまま硬化終了まで静置する。
この際流し込む流動石膏２８には、少量の遺体小片を混合することができる。その際、石膏は硫酸カルシュウムであり遺骨を用いた場合には、遺骨も成分がカルシュウムなので馴染みが良く、流動性のある半水石膏は正常に硬化して石膏内部に遺骨が混合され、硬化して２水石膏となる。
【００６４】
次の抜き出し工程では、図６（ト）に示すように、前記型枠３１から出して、図７の（チ）に示すように、前記切り込み２６を開くように指３５で前記流込み型２５を変形させつつ前記突出した掛止部２４を露出させて、図７の（リ）に示すように、前記流込み型２５中の立体造形物２３を取り出す。
【００６５】
以上の工程で１回目の立体造形物２９が製造されるが、同じ型から２回目以降も前記切り込み脱型工程で得られた同じ流込み型２５を用いて、前記流し込み工程と前記抜き出し工程を繰り返し行うことで同形の一体の立体造形物２９が多数複製される。
【００６６】
そして、取り出した立造形物２９は、図７の（リ）に示すように、立体造形物２９の背側に付着している注入突出部３０を同図７の（ヌ）中に示すように切り取って整形する。
取り出した前記立体造形物２９の表面は、石膏や粉粒状混合材入り石膏の地のままでも装飾的に味のある製品となるが、表面を黒、金、銀等で豪華に見せる着色を施し着色した豪華なものを作ることも可能である。
そして、立体造形物２９は、表面に、図１及び図２の細い線の丸印で示すように、各地の故人の名前や戒名等の文字を書いて完成する。
【産業上の利用可能性】
【００６７】
本発明は、従来の伝統的な位牌や仏像等を模した立体造形記念物であるが、祭祀して御霊を入れれば位牌や墓石の代替物とすることも可能である。
【符号の説明】
【００６８】
１  遺体小片
２  小片容器
３  立体造形物
４  容器収納空間
４ａ  容器収納空間の開口部
６  ＩＣチップ
７  ＩＣアンテナ
５  ＩＣデータシート
８  密閉蓋
８ａ  表側の密閉蓋
８ｂ  裏側の密閉蓋
９  ＩＣデータシート張付面
１０  ＩＣデータシート収納用凹部
１１  キャップ
１２  データ入出力装置
１３  サーバー
１４  モニター
１５  キーボード
１６  マウス
２１  型枠
２２ａ  可塑性の印象材
２２ｂ  硬化した印象材
２３  立体造形物の原形
２４  掛止部
２５  流込み型
２５ａ  流込み型の半割り面
２６  切り込み
２７  空洞
２８  流動石膏
２９  立体造形物
３０  注入突出部
３１  支持型枠
３２  吊り棒
３３  支持棒
３４  石膏注入口
３５  指
３６  コップ
【図１】
2016163640.tif 000003
【図２】
2016163640.tif 000004
【図３】
2016163640.tif 000005
【図４】
2016163640.tif 000006
【図５】
2016163640.tif 000007
【図６】
2016163640.tif 000008
【図７】
2016163640.tif 000009